(57)【要約】【課題】トリップボタンの動作によって開閉機構が正常に動作されるか否かを把握し得るだけでなく、過電流または瞬時過電流に対してトリップ装置が正常に動作されているか否かを把握し得る回路遮断器を提供しようとする。【解決手段】回路遮断器が、電源と負荷間回路とを接続または遮断する開閉機構６と、回路に定格電流より予め設定された比率だけ超過する過電流が発生すると、撓んで撓み力を発生するバイメタル８と、定格電流の数倍に相当する過電流が発生すると瞬時的に動力を提供するアーマチュア１０と、それらバイメタル８及びアーマチュア１０からの動力により揺動して、開閉機構６を回路の遮断位置に動作させるクロスバー２４と、遮断器が正常に動作されているか否かを試験するために使用者が加圧するとクロスバー２４を揺動させるトリップボタン１２とを具備する。【選択図】　　　図１
0003096829.tif 000002
【実用新案登録請求の範囲】
【請求項１】
電源側の固定接触子と、負荷側の固定接触子と、それら固定接触子間に係合されて、それら固定接触子に接触または分離されるように揺動自在にヒンジ軸支された可動接触子と、を備えて、電源と負荷間回路とを接続または遮断させる開閉機構（ｓｗｉｔｃｈｉｎｇ　ｍｅｃｈａｎｉｓｍ）と、
前記電源側の固定接触子に連結されて、前記回路に定格電流よりも予め設定された比率だけ超過する過電流が発生すると、その予め設定された時間内に撓んで撓み力を発生するバイメタルと、
前記電源側の固定接触子に連結されて、前記回路に定格電流の数倍に相当する過電流（ｉｎｓｔａｎｔａｎｅｏｕｓ　ｏｖｅｒ　ｃｕｒｒｅｎｔ）が発生すると、瞬時的に動力を提供するアーマチュアと、
それらバイメタル又はアーマチュアからの動力により揺動されることで、前記開閉機構を前記回路の遮断位置に動作させるクロスバーと、
遮断器が正常に動作されているか否かを試験するために使用者が加圧すると、前記クロスバーを揺動させる押し力を提供するトリップボタンとを具備することを特徴とする回路遮断器。
【請求項２】
前記クロスバーは、遮断器ケースの側壁面に揺動自在にヒンジ軸支されて、
前記クロスバーの上方に突成されて、前記バイメタルからの撓み力を受けるバイメタル作用部と、
前記クロスバーの上方左側に突成されて、前記トリップボタンからの押し力を受けるトリップボタン作用部と、
前記クロスバーの下方に突成されて、前記アーマチュアからの動力を受けるアーマチュア作用部とから構成されることを特徴とする請求項１記載の回路遮断器。
【請求項３】
前記トリップボタンは、遮断器ケースの上方側壁面に挿入ホールが切削形成されて、該挿入ホールの内部に垂直方向揺動自在に挿入されることで、そのトリップボタンの下方端が前記クロスバーのトリップボタン作用部に接触されるように構成されることを特徴とする請求項１記載の回路遮断器。
【考案の詳細な説明】
【０００１】
【考案の属する技術分野】
本考案は、回路遮断器に係るもので、詳しくは、機械的なトリップ動作だけでなく、過電流及び瞬時電流（ｉｎｓｔａｎｔａｎｅｏｕｓ　ｏｖｅｒ　ｃｕｒｒｅｎｔ）によるトリップ動作の正常動作可否を試験することで、機器の信頼性を向上し得る回路遮断器に関するものである。
【０００２】
【従来の技術】
一般に、回路遮断器は、定格電流よりも予め設定された数十〜数百パーセント（％）まで超過する過電流が電源と負荷間の回路に発生した時、予め設定された時間内に回路を遮断する過電流遮断と、定格電流よりも予め設定された数倍まで超過する過電流が回路上に発生した時、これを検出して回路を瞬時的に遮断する瞬時過電流遮断とが全て可能な機器であって、負荷の設備及び人命を保護し得る電気機器である。
【０００３】
図４は従来回路遮断器の断面図で、図５は従来回路遮断器のトリップボタンの拡大断面図である。
図示するように、従来の回路遮断器は、電源側の固定接触子１０２と、負荷側の固定接触子１０４と、固定接触子１０２、１０４間に配設されて、固定接触子１０２、１０４に接続または固定接触子１０２、１０４から分離される可動接触子を主要部品とし回路に接続または遮断させるスイッチング可能な開閉機構１０６と、過電流または瞬時過電流が発生すると、開閉機構１０６を回路遮断位置に動作させるトリップ装置と、過電流または瞬時過電流の発生原因を除去した後、開閉機構を回路の接続位置に強制復帰させたり、又は開閉機構１０６を強制的に遮断位置に動作させるハンドル１０８と、開閉機構１０６の開閉動作が正常であるか否かをテストするトリップボタン１１０とを具備している。
【０００４】
また、前記トリップ装置は、前記遮断器ケースの一方側に揺動自在にヒンジ軸支されて、トリップボタン１１０により揺動されるネイル（ｎａｉｌ）１１２と、該ネイル１１２の揺動によりロックが解除されて、開閉機構１０６を回路遮断位置のトリップ位置に動作させるラッチ１１４とから構成されている。
【０００５】
また、トリップボタン１１０は、図５に示すように、遮断器ケース１１６の上面に切削形成された挿入ホール１１８に垂直（ｖｅｒｔｉｃａｌ）方向に揺動自在にスプリング１２０が挿入されて、その上部にトリップボタン１１０が挿入されることで、使用者が押して動作されたスプリング１２０の弾性によって元の状態に復帰されるようになっている。
【０００６】
また、ネイル１１２は、上方側が遮断器ケース１１６に揺動自在にヒンジ軸支されて、一部がトリップボタン１１０と接触され、他方はラッチ１１４をロックまたは解除するためのラッチホルダー１２４に接触されている。
【０００７】
ラッチ１１４は、一方端が遮断器ケース１１６の側壁に揺動自在にヒンジ軸支されて、他方端はラッチホルダー１２４にロックまたは解除されるように係合され、そのラッチ１１４の揺動中央部は開閉機構１０６と連結されることで、ラッチ１１４の揺動により開閉機構１０６が回路遮断位置のトリップ位置に揺動して回路が遮断される。
【０００８】
このように構成された従来回路遮断器は、電源端子１０２から負荷端子１０４に電流が流れる回路上に過電流または瞬時過電流が発生すると、開閉機構１０６がトリップされて回路が遮断される。
【０００９】
そして、トリップボタン１１０を押して、開閉機構１０６の動作が正常であるか否かを確認するが、このとき、トリップボタン１１０を押すとネイル１１２が揺動され、ラッチホルダー１２４から前記ネイルが離れてラッチ１１４が揺動され、開閉機構１０６をトリップ位置に動作させる。
【００１０】
この時、開閉機構１０６が正常にトリップされると、使用者は開閉機構１０６が正常に動作されたと判断し、開閉機構１０６がトリップされないと、開閉機構１０６の構成部品に故障または損傷が発生したと判断する。即ち、開閉機構１０６は、電源側の固定接触子１０２と、負荷側の固定接触子１０４と、それら固定接触子１０２、１０４間に係合されて、それら固定接触子１０２、１０４に接触又は分離されるように、揺動自在にヒンジ軸支された可動接触子１０９とを備えている。
【００１１】
【考案が解決しようとする課題】
然るに、このように構成された従来回路遮断器においては、トリップボタン１１０を押すと、開閉機構１０６が機械的に正常動作されるか否かは判断し得るが、過電流または瞬時電流が発生した時、各トリップ装置の部品が正常に動作されるか否かを把握し得ないという問題がある。
【００１２】
即ち、過電流または瞬時過電流によって動作されるトリップ装置の各部品は、加工誤差、干渉または摩擦力等の多様な要因によって動作信頼性が低下されるが、過電流または瞬時過電流によるトリップ動作が正常に行われているか否かを把握するためには、遮断器に直接過電流または瞬時過電流を印加して試験を実施すべきであるため、試験作業が困難であり、試験時間が長くなるだけでなく、試験費用が増大するという問題がある。
【００１３】
本考案は、このような従来の課題に鑑みてなされたもので、トリップボタンの動作によって開閉機構が正常に動作されるか否かを把握し得るだけでなく、過電流または瞬時過電流に対してトリップ装置が正常に動作されているか否かを把握し得る回路遮断器を提供することを目的とする。
【００１４】
【課題を解決するための手段】
このような目的を達成するため、本考案に係る回路遮断器は、電源側の固定接触子と、負荷側の固定接触子と、それら固定接触子間に係合されて、それら固定接触子に接触または分離されるように揺動自在にヒンジ軸支された可動接触子とを備えて、電源と負荷間回路とを接続または遮断させる開閉機構と、
前記電源側の固定接触子に連結されて、前記回路に定格電流よりも予め設定された比率だけ超過する過電流が発生すると、その予め設定された時間内に撓んで撓み力を発生するバイメタルと、
前記電源側の固定接触子に連結されて、前記回路に定格電流の数倍に相当する過電流が発生すると、瞬時的に動力を提供するアーマチュアと、
それらバイメタルまたはアーマチュアからの動力によって揺動されることで、前記開閉機構を前記回路の遮断位置にトリップさせるクロスバーと、
前記遮断器が正常に動作されているか否かを試験するために、使用者が加圧すると、前記クロスバーを揺動させる押し力を提供するトリップボタンとを具備することを特徴とする。
【００１５】
【考案の実施の形態】
以下、添付図面を参照して、本考案の実施形態を説明する。
図１は本考案に係る回路遮断器の断面図で、図示するように、本考案に係る回路遮断器は、電源側の固定接触子２及び負荷側の固定接触子４、そして、これら固定接触子２、４間に設置されて、各固定接触子２、４に接触または分離される位置に揺動可能な可動接触子１８を具備し、電源と負荷間回路を遮断または接続する開閉機構６と、回路上を流れる電流が定格電流より数十パーセント〜数百パーセントを超過する過電流が発生すると、予め設定された時間内に撓んで撓み力を提供するバイメタル８と、回路に流れる電流が定格電流より数倍を超過する過電流が発生すると、バイメタル８の周辺に巻きコイルの磁化によって吸引されて瞬間的な動力を提供するアーマチュア１０と、遮断器のトリップ動作が正常であるか否かをテストするためのトリップボタン１２と、該トリップボタン１２からの動力、バイメタル８からの動力及びアーマチュア１０からの動力の何れか一つの動力によって開閉機構６を回路の遮断位置にトリップさせるトリップ装置と、を含んで構成されている。また、本考案に係る回路遮断器においては、開閉機構６に接続されて、回路遮断位置にトリップされた状態の遮断器を元の回路接続状態に復帰させたり、又は回路を強制遮断するためのハンドル１４を更に含んで構成されている。
【００１６】
また、開閉機構６は、電源及び負荷に夫々接続されるため遮断器ケース１６の左右両側に固定された二つの固定接触子２、４と、それら固定接触子２、４間の各固定接触子２、４に接触または分離可能に、ホルダー６０によって遮断器ケース１６に揺動自在にヒンジ軸支された可動接触子１８と、該可動接触子１８のホルダー６０にヒンジ軸支された下部リンク６２と、該下部リンク６２にヒンジ軸支されたリンク部材２０と、該リンク部材２０にヒンジ軸支されてラッチ３０がヒンジ軸支される上部リンク６４と、該上部リンク６４の側方の遮断器ケース１６の側壁に軸支されたハンドル１４と、該ハンドル１４にコイルスプリングの一方端が掛止されて、他方端はリンク部材２０に掛止されたコイルスプリング２２とから構成されている。
【００１７】
また、前記トリップ装置は、図１及び図２に示すように、トリップボタン１２、バイメタル８、アーマチュア１０及び遮断器ケース１６に揺動自在にヒンジ軸支されて、トリップボタン１２、バイメタル８及びアーマチュア１０の何れか一つからの動力によって揺動するほぼ十字状のクロスバー２４と、該クロスバー２４の揺動によってロックが解除されて揺動するように、遮断器ケース１６の側面にヒンジ軸支されたシューター２６と、該シューター２６の揺動によって開閉機構６と連結されたラッチ３０のロックを解除するように、遮断器ケースの側面にヒンジ軸支されたネイル２８とから構成されている。
【００１８】
また、トリップボタン１２は、図２に示すように、複数回屈曲形成された合成樹脂材部材であって、上部が遮断器ケース１６の上面に切削形成された挿入ホール３２に上下方向揺動自在に挿入されて、下部がクロスバー２４に接触されるように形成されることで、使用者が試験のために、トリップボタン１２を下方に加圧すると、クロスバー２４が図面の反時計方向に揺動されるようになっている。
【００１９】
クロスバー２４は、遮断器ケース１６にヒンジ軸３４により揺動自在に軸支されて、該ヒンジ軸３４には、クロスバー２４に一方向の弾性力を与えるスプリング３６が係合される。又、クロスバー２４の上方端右側には、バイメタル８の撓み力を受けるためのバイメタル作用部３８が形成され、そのクロスバー２４の左側上方端には、使用者の加圧によりトリップボタン１２からの押し力を受けるためのトリップボタン作用部５０が突成され、右側端にシューター２６がロックされるシューターロックキング部４２が形成され、下側端にアーマチュア１０からの動力を受けるためのアーマチュア作用部４０が形成されている。
【００２０】
即ち、クロスバー２４は、トリップボタン１２、バイメタル８及びアーマチュア１０の何れか一つから動力を受けると、ヒンジ軸３４を中心に揺動されながらシューター２６のロックキングを解除させる。
【００２１】
また、シューター２６は、ほぼ三角形状に屈曲形成されて、上端が遮断器ケース１６の側面に揺動自在にヒンジ軸支され、図面からみて、シューター２６の左側部には、クロスバー２４のシューターロックキング部４２によってロックされるロックロッド４４が突成され、そのシューター２６の右側部には、ネイル２８に接触されて該ネイル２８をロックするためのネイルロック部４６が形成され、ロックロッド４４の上部には、シューター２６の縦方向に弾性力を与えるスプリング４８が巻回されている。
【００２２】
そして、ネイル２８は、一方端が遮断器ケース１６の側壁面に揺動自在にヒンジ軸支され、他方端の左側はシューター２６にロックされ、該他方端の右側はラッチ３０をロックさせる。
【００２３】
従って、該ラッチ３０は、一方端がネイル２８によってロックされ、中央が遮断器ケース１６の側壁面に揺動自在にヒンジ軸支されることで、リンク部材２０及びホルダー６０を介して可動接触子１８の動作によりネイル２８のロックが解除されると、可動接触子１８を電源側の固定接触子２及び負荷側の固定接触子４から分離させる。
【００２４】
以下、このように構成された回路遮断器の作用に対して説明する。
まず、回路遮断器が正常動作されるか否かを把握するためにトリップボタン１２を下方に加圧すると、トリップボタン１２がクロスバー２４のトリップボタン作用部５０を押して、クロスバー２４が図面の反時計方向に揺動し、シューター２６のロックが解除されることで、該シューター２６はスプリング４８の弾性力により反時計方向に揺動される。よって、該シューター２６の揺動によりネイル２８のロックが解除されて、該ネイル２８も反時計方向に揺動し、ネイル２８の揺動によってラッチ３０のロックが解除されて、該ラッチ３０も中心軸を中心に反時計方向に揺動しながら開閉機構６を回路遮断位置にトリップさせる。
【００２５】
一方、回路に定格電流より数十〜数百パーセントを超過する過電流が流れると、バイメタル８が加熱されて、図面の左側に撓みながらクロスバー２４のバイメタル作用部３８を打撃し、これによってクロスバー２４が反時計方向に揺動して、前述と同様な連動経路を通して開閉機構６を回路遮断位置にトリップさせる。
【００２６】
一方、回路上に定格電流の数倍に該当する瞬時過電流が流れると、アーマチュア１０がバイメタル８の周辺に巻かれたコイルの磁化によってバイメタル８側に吸引され、よって、アーマチュア１０の上方端がクロスバー２４のアーマチュア作用部４０を打撃するため、クロスバー２４が図面の反時計方向に揺動されると、前述した連動経路を通して開閉機構６がトリップされる。
【００２７】
このように、トリップボタン１２、バイメタル８及びアーマチュア１０の何れか一つからの動力によってクロスバー２４が揺動されながら、開閉機構６を回路の遮断位置にトリップさせる。
【００２８】
【考案の効果】
以上説明したように、本考案に係る回路遮断器においては、トリップボタンがクロスバーを揺動させるようにし、過電流によって動作されるバイメタル、瞬時過電流によって動作されるアーマチュア、及びトリップボタンの何れか一つの動作によってクロスバーが揺動しながら、その他のトリップ部品を連動させて開閉機構を回路の遮断位置にトリップさせるため、使用者がトリップボタンを押すことで、開閉機構の正常動作可否だけでなく、トリップ装置を構成する各部品の動作が正常であるか否かも試験することができるという効果がある。
【図面の簡単な説明】
【図１】本考案に係る回路遮断器の構成を示した断面図である。
【図２】図１のＡ部拡大図である。
【図３】本考案に係る回路遮断器のトリップボタンの斜視図である。
【図４】従来回路遮断器の構成を示した断面図である。
【図５】従来回路遮断器のトリップボタンの断面図である。
【符号の説明】
２…電源側の固定接触子
４…負荷側の固定接触子
６…開閉機構
８…バイメタル
１０…アーマチュア
１２…トリップボタン
１４…レバー
１６…遮断器ケース
１８…端子の連結部材
２０…リンクロッド
２２…スプリング
２４…クロスバー
２６…シューター
２８…ネイル
３０…ラッチ
３４…ヒンジ軸
３６…スプリング
３８…バイメタル作用部
４０…アーマチュア作用部
４２…シューターロックキング部
５０…トリップボタン作用部
【図１】
0003096829.tif 000003
【図２】
0003096829.tif 000004
【図３】
0003096829.tif 000005
【図４】
0003096829.tif 000006
【図５】
0003096829.tif 000007